(57)【要約】      （修正有）【課題】受信性能の異なる複数のブロックに分割され多段構成となっている下り制御チャネルの各段における受信性能の測定を可能にすること。【解決手段】記憶部１４０はＨＳ−ＳＣＣＨの２ｎｄ  ｐａｒｔの誤り検出結果に基づいてＨＳ−ＰＤＳＣＨの受信処理を行う第１の受信モードか行わない第２の受信モードかの情報を記憶している。制御部１３０は記憶部１４０から第１の受信モードを読み出したときは、２ｎｄ  ｐａｒｔに誤りがない場合はＨＳ−ＰＤＳＣＨの復号処理を開始し、また誤りがある場合はＨＳ−ＰＤＳＣＨの受信処理を停止するように制御する。下り制御チャネル全体の受信性能測定が可能となる。制御部は記憶部から第２の受信モードを読み出したときは、２ｎｄ  ｐａｒｔの誤り有無とは関係なくＨＳ−ＰＤＳＣＨの復号処理を行うように制御する。下り制御チャネルの各段における受信性能測定が可能になる。【選択図】図１
2006115207.tif 000002
【特許請求の範囲】
【請求項１】
下りデータチャネルの受信処理に必要な制御情報を受信性能の異なる複数のブロックに分割した多段構成で伝送される下り制御チャネルの受信処理を行う制御チャネル受信手段と、前記下りデータチャネルの受信処理を行うデータチャネル受信手段と、前記制御チャネル受信手段における受信処理時に検出された誤り検出結果に基づいて下りデータチャネルの受信処理を行うか否かを示す受信モードによって前記データチャネル受信手段における受信処理を制御する制御手段と、前記データチャネル受信手段による下りデータチャネルの誤り検出結果に基づいて作成した応答信号を上り制御チャネルを介して基地局装置に送信する応答信号送信手段と、を具備することを特徴とする受信装置。
【請求項２】
前記制御手段は、制御チャネルの誤り検出結果に基づいて下りデータチャネルの受信処理を行う第１の受信モード時は、受信した制御チャネルに誤りを検出した場合はデータチャネルの受信処理を行わない又は停止し、受信した制御チャネルに誤りを検出しなかった場合はデータチャネルの受信処理を行うように制御する一方、制御チャネルの誤り検出結果に基づいて下りデータチャネルの受信処理を行わない第２の受信モード時は、受信した制御チャネルの誤り検出有無と関係なくデータチャネルの受信処理を行うように制御する、ことを特徴とする請求項１記載の受信装置。
【請求項３】
前記応答信号送信手段は、制御チャネルの誤り検出結果に基づいて下りデータチャネルの受信処理を行う第１の受信モード時は、受信した制御チャネルに誤りを検出した場合は応答信号としては何も送信せず、受信した制御チャネルに誤りを検出しなかった場合はデータチャネルの受信処理における誤り検出結果に基づいて応答信号を送信する一方、制御チャネルの誤り検出結果に基づいて下りデータチャネルの受信処理を行わない第２の受信モード時は、データチャネルの受信処理における誤り検出に基づいて応答信号を送信する、ことを特徴とする請求項１記載の受信装置。
【請求項４】
下りデータチャネルの受信処理に必要な制御情報を受信性能の異なる複数のブロックに分割した多段構成で伝送される下り制御チャネルの受信処理を行う制御チャネル受信工程と、前記下りデータチャネルの受信処理を行うデータチャネル受信工程と、前記制御チャネル受信工程における受信処理時に検出された誤り検出結果に基づいて下りデータチャネルの受信処理を行うか否かを示す受信モードによって前記データチャネル受信工程における受信処理を制御する制御工程と、前記データチャネル受信工程による下りデータチャネルの誤り検出結果に基づいて作成した応答信号を上り制御チャネルを介して基地局装置に送信する応答信号送信工程と、を具備することを特徴とする受信性能測定信号の送信方法。
【請求項５】
前記制御工程では、制御チャネルの誤り検出結果に基づいて下りデータチャネルの受信処理を行う第１の受信モード時は、受信した制御チャネルに誤りを検出した場合はデータチャネルの受信処理を行わない又は停止し、受信した制御チャネルに誤りを検出しなかった場合はデータチャネルの受信処理を行うように制御する工程と、制御チャネルの誤り検出結果に基づいて下りデータチャネルの受信処理を行わない第２の受信モード時は、受信した制御チャネルの誤り検出有無と関係なくデータチャネルの受信処理を行うように制御する工程と、を具備することを特徴とする請求項４記載の受信性能測定信号の送信方法。
【請求項６】
前記応答信号送信工程では、制御チャネルの誤り検出結果に基づいて下りデータチャネルの受信処理を行う第１の受信モード時は、受信した制御チャネルに誤りを検出した場合は応答信号としては何も送信せず、受信した制御チャネルに誤りを検出しなかった場合はデータチャネルの受信処理における誤り検出結果に基づいて応答信号を送信する工程と、制御チャネルの誤り検出結果に基づいて下りデータチャネルの受信処理を行わない第２の受信モード時は、データチャネルの受信処理における誤り検出に基づいて応答信号を送信する工程と、を具備することを特徴とする請求項４記載の受信性能測定信号の送信方法。
【発明の詳細な説明】
【技術分野】
【０００１】
本発明は、Ｗ−ＣＤＭＡ方式の移動体通信システムにおける移動局が備える受信装置及び基地局が下り制御チャネルの移動局における受信性能測定を行う場合の受信性能測定信号の送信方法に関する。
【背景技術】
【０００２】
現在、３ＧＰＰ（3rd Generation Partnership Project）において、ＨＳＤＰＡ（High Speed Downlink Packet Access：高速ダウンリンクパケットアクセス）と呼ばれる無線アクセス方式が規格化されている。このＨＳＤＰＡでは、適応変調やＨ−ＡＲＱ（Hybrid Automatic Repeat reQuest）、通信先移動局の高速選択、無線回線の状況に応じた伝送パラメータの適応制御等を用いることにより、基地局から移動局への下り回線（ダウンリンク）のスループットの増大を実現している。
【０００３】
ＨＳＤＰＡにおいて使用される主なチャネルとしては、ＨＳ−ＳＣＣＨ（Shared Control Channel for HS-DSCH, HS-DSCH:High Speed Downlink Shared Channel）、ＨＳ−ＰＤＳＣＨ（High Speed Physical Downlink Shared Channel）、及びＨＳ−ＤＰＣＣＨ（Dedicated Physical Control Channel (uplink) for HS-DSCH）等を挙げることができる。
【０００４】
ＨＳ−ＳＣＣＨは、３スロットからなるサブフレームで構成される下りの制御チャネルである。このＨＳ−ＳＣＣＨを用いて、基地局から移動局に対しＨＳ−ＰＤＳＣＨの変調方式、マルチコード数、トランスポートブロックサイズ等を示す制御情報が伝送される。
【０００５】
ＨＳ−ＰＤＳＣＨは、３スロットからなるサブフレームで構成され、パケットデータを伝送するための下りのデータチャネルである。ＨＳ−ＤＰＣＣＨは、３スロットからなるサブフレームで構成され、ＨＳ−ＰＤＳＣＨに関するフィードバック信号を送信する上りの制御チャネルである。
【０００６】
ＨＳ−ＤＰＣＣＨのサブフレームでは、第１スロットにてＨ−ＡＲＱのＡＣＫ（ACKnowledgment：肯定応答）信号／ＮＡＣＫ（Negative ACKnowledgment：否定応答）信号が送信され、第２スロット及び第３スロットにて下り回線のＣＱＩ（Channel Quality Indicator：伝送品質報告値）が送信される。
【０００７】
Ｈ−ＡＲＱのＡＣＫ信号／ＮＡＣＫ信号は、ＨＳＤＰＡサービスを提供するセル（ＨＳＤＰＡサービングセル）に対する応答信号である。即ち、ＡＣＫ信号は、そのＨＳ−ＤＰＣＣＨに対応するＨＳ−ＰＤＳＣＨの復号結果に誤りがないことを示す応答信号である。また、ＮＡＣＫ信号は、誤りがあることを示す応答信号である。
【０００８】
また、ＣＱＩは、品質参照区間（Reference Measurement Period）における下り回線の伝送品質をＨＳＤＰＡサービングセルの基地局に報告するための信号である。ＣＱＩは、通常は伝送品質に応じた番号で示される。各番号は、その伝送品質において移動局が復調可能な変調方式と符号化率等との組合せを示している。基地局は、このＣＱＩに基づいてスケジューリングを行ってＨＳ−ＰＤＳＣＨの送信先となる移動局を決定し、その移動局に対しＣＱＩに基づいた伝送レートでＨＳ−ＰＤＳＣＨのパケットデータを送信する。
【０００９】
図３は、物理チャネルであるＨＳ−ＰＤＳＣＨとＨＳ−ＳＣＣＨとのフレーム構成を説明する図である。物理チャネルＨＳ−ＰＤＳＣＨは、３スロットからなるサブフレームで構成され、情報ビットが含まれているデータチャネルである。
【００１０】
物理チャネルＨＳ−ＳＣＣＨは、３スロットからなるサブフレームで構成される制御チャネルである。そのうち、第０スロット（Ｓｌｏｔ＃０）は１ｓｔ  ｐａｒｔ（ファーストパート）を構成し、第１スロット（Ｓｌｏｔ＃１）と第２スロット（Ｓｌｏｔ＃２）とは２ｎｄ  ｐａｒｔ（セカンドパート）を構成している。１ｓｔ  ｐａｒｔ（ファーストパート）には、ＨＳ−ＰＤＳＣＨに用いられているチャネライゼーションコード番号とチャネライゼーションコード数と変調方式とを示す情報が含まれている。２ｎｄ  ｐａｒｔ（セカンドパート）には、トランスポートブロックサイズとＨＡＲＱプロセス番号とＨＡＲＱパラメータと新規データ識別ビットとが含まれている。１ｓｔ  ｐａｒｔ（ファーストパート）と２ｎｄ  ｐａｒｔ（セカンドパート）とに含まれている情報は、ＨＳ−ＰＤＳＣＨの受信処理に必要な制御情報である。
【００１１】
図４は、制御チャネルＨＳ−ＳＣＣＨとデータチャネルＨＳ−ＰＤＳＣＨのタイミング関係を説明する図である。ＨＳ−ＳＣＣＨのサブフレームの先頭は、対応するＨＳ−ＰＤＳＣＨのサブフレームの先頭から２スロット前に位置している。ＨＳ−ＳＣＣＨには、どの受信装置宛てであるかという情報も符号化されて含まれているので、受信装置は受信した複数のＨＳ−ＳＣＣＨの中から自局宛てのＨＳ−ＳＣＣＨを検出することができる。そして、検出した自局宛てのＨＳ−ＳＣＣＨの復号結果が示す制御情報を用いてＨＳ−ＰＤＳＣＨの受信処理を行う。ＨＳ−ＳＣＣＨでは、１ｓｔ  ｐａｒｔ（ファーストパート）と２ｎｄ  ｐａｒｔ（セカンドパート）とは、別々に符号化されているので、それぞれ異なる受信性能を有している。また、別々に符号化されているので、２ｎｄ  ｐａｒｔ（セカンドパート）の復号が終了する前に、１ｓｔ  ｐａｒｔ（ファーストパート）の復号結果を用いてＨＳ−ＰＤＳＣＨの受信処理を開始することも可能である。
【００１２】
図５は、従来の受信装置におけるＨＳ−ＳＣＣＨの受信性能測定系の構成を示すブロック図である。図５において、従来の受信装置５００は、入力信号に含まれる下りデータチャネルＨＳ−ＰＤＳＣＨについて受信処理を行うＨＳ−ＰＤＳＣＨ受信処理部５１０と、入力信号に含まれる下り制御チャネルＨＳ−ＳＣＣＨについて受信処理を行うＨＳ−ＳＣＣＨ受信処理部５２０と、ＨＳ−ＳＣＣＨ受信処理部５２０での処理結果に基づきＨＳ−ＰＤＳＣＨ受信処理部５１０を制御する制御部５３０と、ＨＳ−ＰＤＳＣＨ受信処理部５１０での処理結果を受けて応答信号を生成する応答信号生成部５４０とを備えている。ＨＳ−ＳＣＣＨ受信性能測定部５５０は、応答信号生成部５４０が生成する応答信号（ＡＣＫ信号、ＮＡＫ信号）に基づきＨＳ−ＳＣＣＨの受信性能を測定する。
【００１３】
ＨＳ−ＳＣＣＨ受信処理部５２０は、逆拡散部５２１、復調部５２２、復号部５２３、判定部５２４を含み、入力されるＨＳ−ＳＣＣＨに対する受信処理を行い、その受信処理結果を制御部５３０に与える。ＨＳ−ＰＤＳＣＨ受信処理部５１０は、逆拡散部５１１、復調部５１２、復号部５１３、誤り検出部５１４を含み、制御部５３０の制御下に、入力されるＨＳ−ＰＤＳＣＨに対する受信処理を行い、その処理結果を応答信号生成部５４０に与える。
【００１４】
ＨＳ−ＳＣＣＨ受信処理部５２０に入力されるＨＳ−ＳＣＣＨは、複数のＨＳ−ＳＣＣＨが１セット（ＨＳ−ＳＣＣＨセット）となっている。そこで、逆拡散部５２１は、入力信号であるＨＳ−ＳＣＣＨセットに含まれるそれぞれのＨＳ−ＳＣＣＨに対して所定の拡散コードで逆拡散を行う。逆拡散後の各ＨＳ−ＳＣＣＨは、復調部５２２にて復調され、復号部５２３にて復号され、復号結果が判定部５２４に入力される。
【００１５】
判定部５２４では、入力された復号結果に基づき、ＨＳ−ＳＣＣＨセットに含まれる複数のＨＳ−ＳＣＣＨの中に自局宛てのＨＳ−ＳＣＣＨが存在するか否かを判定し、その判定結果を制御部５３０に通知する。この判定は、例えば誤りチェックビットや復号部５２３が制御チャネルＨＳ−ＳＣＣＨを復号する際に算出される尤度情報を用いて行われる。
【００１６】
制御部５３０は、判定部５２４からの判定結果に基づき、ＨＳ−ＰＤＳＣＨ受信処理部５１０を次のように制御する。制御部５３０は、判定部５２４からＨＳ−ＳＣＣＨの１ｓｔ  ｐａｒｔ（ファーストパート）に関して自局宛てが存在する旨の通知を受けると、自局宛てのＨＳ−ＳＣＣＨの復号結果が示す制御情報で示されるマルチコード数等の拡散コード情報を逆拡散部５１１に送り、変調方式等の変調方式情報を復調部５１２に送る。
【００１７】
また、制御部５３０は、判定部５２４からＨＳ−ＳＣＣＨの２ｎｄ  ｐａｒｔ（セカンドパート）に関して自局宛てが存在する旨の通知を受けると、自局宛てのＨＳ−ＳＣＣＨの復号結果が示す制御情報で示されるトランスポートブロックサイズ等の符号化情報を復号部５１３に送る。
【００１８】
一方、制御部５３０は、判定部５２４から、１ｓｔ  ｐａｒｔ（ファーストパート）及び２ｎｄ  ｐａｒｔ（セカンドパート）に自局宛てのＨＳ−ＳＣＣＨが存在しない旨の通知を受けると、ＨＳ−ＰＤＳＣＨ受信処理部５１０が、受信処理を開始していない場合はＨＳ−ＰＤＳＣＨの受信処理を行わせないように制御し、受信処理を開始している場合は停止するように制御する。
【００１９】
ＨＳ−ＰＤＳＣＨ受信処理部５１０では、逆拡散部５１１は、制御部５３０から指示された拡散コード情報に基づいて入力信号であるＨＳ−ＰＤＳＣＨに対して逆拡散を行う。逆拡散後のＨＳ−ＰＤＳＣＨは、復調部５１２にて制御部５３０から指示された変調方式情報に基づいて復調され、復号部５１３にて制御部５３０から指示された符号化情報に基づいて復号され、復号結果（パケットデータ）が誤り検出部５１４に入力される。誤り検出部５１４では、入力されたパケットデータに対しＣＲＣ等の誤り検出を行い、誤り検出結果を応答信号生成部５４０に出力する。
【００２０】
応答信号生成部５４０では、誤り検出結果に基づき、誤り検出に対する応答信号としてＡＣＫ信号またはＮＡＣＫ信号を作成し、基地局のＨＳ−ＳＣＣＨ受信性能測定部５５０に送信する。具体的には、応答信号生成部５４０では、パケットデータに誤りがない場合はＡＣＫ信号を作成し、誤りがあった場合はＮＡＣＫ信号を作成する。なお、ＨＳ−ＳＣＣＨ受信処理部５２０における判定部５２４にて自局宛てのＨＳ−ＳＣＣＨが存在しないと判定された場合は、ＨＳ−ＰＤＳＣＨ受信処理部５１０は受信処理をしないので、応答信号生成部５４０は、ＡＣＫ信号もＮＡＣＫ信号も出力しない。
【００２１】
ここで、応答信号生成部５４０が作成する応答信号（ＡＣＫ信号、ＮＡＣＫ信号）は、上記のように、ＨＳ−ＰＤＳＣＨの受信性能に関するものである。そして、ＨＳ−ＰＤＳＣＨ受信処理部５１０では、自局宛てのＨＳ−ＳＣＣＨの２ｎｄ  ｐａｒｔ（セカンドパート）に誤りが検出されなかったときにのみ、復号処理が行われるので、基地局がその受信装置宛てにＨＳ−ＳＣＣＨを送信した時、応答信号生成部５４０がＡＣＫ信号またはＮＡＣＫ信号を作成する場合は、ＨＳ−ＳＣＣＨの受信に成功したことを示し、ＡＣＫ信号及びＮＡＣＫ信号のどちらも作成しない場合は、ＨＳ−ＳＣＣＨの受信処理に失敗したことを示すことになる。
【００２２】
したがって、ＨＳ−ＳＣＣＨ受信性能測定部５５０では、入力されたＨＳ−ＰＤＳＣＨに対応するタイミングにおいて、応答信号生成部５４０からの応答信号（ＡＣＫ信号、ＮＡＣＫ信号）を監視することによって、ＨＳ−ＳＣＣＨの受信性能を測定することができる。以下、図６を参照して、従来行われているＨＳ−ＳＣＣＨの受信性能の測定方法について説明する。
【００２３】
図６は、図５に示す受信装置におけるＨＳ−ＳＣＣＨの受信性能測定系の動作を説明するフローチャートである。なお、処理手順を示すステップはＳＴと略記する。図６において、ＨＳ−ＳＣＣＨの受信性能の測定では、まず、ＨＳ−ＳＣＣＨの１ｓｔ  ｐａｒｔ（ファーストパート）の受信処理ＳＴ６００として、逆拡散処理（ＳＴ６０１）、復調処理（ＳＴ６０２）、復号処理（ＳＴ６０３）、判定処理（ＳＴ６０４）を含む処理が行われ、判定処理（ＳＴ６０４）が終了すると、ＳＴ６２０に進む。
【００２４】
また、ＨＳ−ＳＣＣＨの１ｓｔ  ｐａｒｔ（ファーストパート）の逆拡散処理（ＳＴ６０１）が終わると、その処理結果を用いてＨＳ−ＳＣＣＨの２ｎｄ  ｐａｒｔ（セカンドパート）の受信処理ＳＴ６１０が並行して行われる。ＨＳ−ＳＣＣＨの２ｎｄ  ｐａｒｔ（セカンドパート）の受信処理ＳＴ６１０には、逆拡散処理（ＳＴ６１１）、復調処理（ＳＴ６１２）、復号処理（ＳＴ６１３）、誤り検出処理（ＳＴ６１４）が含まれている。誤り検出処理（ＳＴ６１４）が終了すると、ＳＴ６４０に進む。
【００２５】
また、ＨＳ−ＳＣＣＨの１ｓｔ  ｐａｒｔ（ファーストパート）の受信処理ＳＴ６００における判定処理ＳＴ６０４での判定結果、自局宛てのＨＳ−ＳＣＣＨを検出しなかった場合（ＳＴ６２０：ＮＯ）には、ＤＴＸ処理（ＳＴ６６０）に進み、ＨＳ−ＳＣＣＨ受信性能測定処理（ＳＴ６９０）に対してＡＣＫ信号もＮＡＣＫ信号も出力しない。また、その時点で、ＨＳ−ＳＣＣＨの２ｎｄ  ｐａｒｔ（セカンドパート）の受信処理を終了しても良い。また、判定処理ＳＴ６０４の判定結果、自局宛てのＨＳ−ＳＣＣＨを検出した場合（ＳＴ６２０：ＹＥＳ）には、ＨＳ−ＰＤＳＣＨ処理（ＳＴ６３０）に進む。
【００２６】
このＨＳ−ＰＤＳＣＨ処理（ＳＴ６３０）には、逆拡散処理（ＳＴ６３１）、復調処理（ＳＴ６３２）、復号処理（ＳＴ６３３）、誤り検出処理（ＳＴ６３４）が含まれるが、逆拡散処理（ＳＴ６３１）と復調処理（ＳＴ６３２）が終わると、ＳＴ６４０に進む。ＳＴ６４０では、ＨＳ−ＳＣＣＨの２ｎｄ  ｐａｒｔ（セカンドパート）の受信処理ＳＴ６１０における誤り検出処理（ＳＴ６１４）において誤りを検出したか否かを判断する。
【００２７】
その結果、誤り検出処理（ＳＴ６１４）において誤りを検出した場合（ＳＴ６４０：ＮＯ）には、ＤＴＸ処理（ＳＴ６６０）に進み、ＨＳ−ＳＣＣＨ受信性能測定処理（ＳＴ６９０）に対してＡＣＫ信号もＮＡＣＫ信号も出力しない。一方、誤り検出処理（ＳＴ６１４）において誤りを検出しない場合（ＳＴ６４０：ＹＥＳ）には、ＨＳ−ＰＤＳＣＨ処理（ＳＴ６３０）における残りの復号処理（ＳＴ６３３）、誤り検出処理（ＳＴ６３４）を行った後、ＳＴ６５０に進み、誤り検出処理（ＳＴ６３４）において誤りを検出したか否かを判断する。
【００２８】
その結果、誤り検出処理（ＳＴ６３４）において誤りを検出しなかった場合（ＳＴ６５０：ＹＥＳ）には、ＡＣＫ出力処理（ＳＴ６７０）に進み、ＨＳ−ＳＣＣＨ受信性能測定処理（ＳＴ６９０）に対してＡＣＫ信号を出力する。また、誤り検出処理（ＳＴ６３４）において誤りを検出した場合（ＳＴ６５０：ＮＯ）には、ＮＡＣＫ出力処理（ＳＴ６８０）に進み、ＨＳ−ＳＣＣＨ受信性能測定処理（ＳＴ６９０）に対してＮＡＣＫ信号を出力する。
【００２９】
ＨＳ−ＳＣＣＨ受信性能測定処理（ＳＴ６９０）では、受信装置における以上説明した一連の処理における入力値がＡＣＫ信号かＮＡＣＫ信号か、または何も入力されないかを監視することによって、ＨＳ−ＳＣＣＨの受信性能を測定する。ＨＳ−ＳＣＣＨ受信性能測定処理（ＳＴ６９０）では、以上説明した一連の処理をＨＳ−ＳＣＣＨ受信性能測定ループとして、このＨＳ−ＳＣＣＨ受信性能測定ループ毎の測定を所定回数に到達するまで（ＳＴ６９１：ＮＯ）繰り返して実行し、所定回数に到達すると（ＳＴ６９１：ＹＥＳ）、ＨＳ−ＳＣＣＨ受信性能測定処理を終了する。
【００３０】
ＨＳ−ＳＣＣＨ受信性能測定部５５０の測定動作を具体的に説明する。例えば、その受信装置宛てにＨＳ−ＳＣＣＨを送信した回数であるＨＳ−ＳＣＣＨ受信性能測定ループの繰り返し回数を１００回とし、ＨＳ−ＳＣＣＨの１ｓｔ  ｐａｒｔ（ファーストパート）の誤りが５回、２ｎｄ  ｐａｒｔ（セカンドパート）の誤りが１０回であるとする。この場合、ＨＳ−ＰＤＳＣＨを復号する回数は９０回、ＨＳ−ＳＣＣＨの誤りによってＨＳ−ＰＤＳＣＨの復号ができない場合は１０回あることになる。
【００３１】
ここで、ＨＳ−ＳＣＣＨ受信性能測定処理（ＳＴ６９０）において、ＡＣＫ信号が６０回、ＮＡＣＫ信号が３０回、何も入力されなかった回数が１０回だった場合のＨＳ−ＳＣＣＨの受信性能を示すフレームエラーレートＦＥＲは以下の式（１）によって算出することができる。なお、式（１）において、ＮＤＴＸは受信装置５００から何も入力されなかった回数、ＮＡＣＫは受信装置５００からＡＣＫ信号が入力された回数、ＮＮＡＣＫは受信装置５００からＮＡＣＫ信号が入力された回数である。
ＦＥＲ＝ＮＤＴＸ／（ＮＤＴＸ＋ＮＡＣＫ＋ＮＮＡＣＫ）
＝１０／１００
＝０．１                          …（１）
【００３２】
つまり、ＨＳ−ＳＣＣＨ受信性能測定部５５０では、受信装置５００から、ＡＣＫ信号が入力する、ＮＡＣＫ信号が入力する、何も入力しない、の３通りをカウントすることによって、ＨＳ−ＳＣＣＨの１ｓｔ  ｐａｒｔ（ファーストパート）と２ｎｄ  ｐａｒｔ（セカンドパート）を含めた受信性能が測定できる。
【００３３】
なお、以上のような移動局の受信処理については、例えば特許文献１、非特許文献１に記載されている。また、ＨＳ−ＳＣＣＨの受信性能の測定方法については、非特許文献２に記載されている。
【特許文献１】特開２００３−３３９０７３号公報
【非特許文献１】3GPP TS 25.214 V5.5.0（3rd Generation Partnership Project; Technical Specification Group Radio Access Network; Physical layer procedures(FDD)（Release 5））
【非特許文献２】3GPP TS 25.101 V5.7.0（3rd Generation Partnership Project; Technical Specification Group Radio Access Network; User Equipment (UE) radio transmission and reception(FDD)（Release 5））
【発明の開示】
【発明が解決しようとする課題】
【００３４】
ＨＳ−ＳＣＣＨでは、１ｓｔ  ｐａｒｔ（ファーストパート）と２ｎｄ  ｐａｒｔ（セカンドパート）は別々に符号化されているので、それぞれ異なる受信性能を持つ。したがって、ＨＳ−ＳＣＣＨの受信性能には、１ｓｔ  ｐａｒｔ（ファーストパート）の受信性能と２ｎｄ  ｐａｒｔ（セカンドパート）の受信性能との２種類がある。
【００３５】
従来の受信装置におけるＨＳ−ＳＣＣＨの受信性能測定系の構成では、受信装置から、ＡＣＫ信号が送信される、ＮＡＣＫ信号が送信される、何も送信されない、を監視することで測定が可能である。しかし、この測定方法では、ＨＳ−ＳＣＣＨの１ｓｔ  ｐａｒｔ（ファーストパート）と２ｎｄ  ｐａｒｔを含めたＨＳ−ＳＣＣＨの受信性能は測定できるが、ＨＳ−ＳＣＣＨの１ｓｔ  ｐａｒｔ（ファーストパート）のみの受信性能は測定することができない。また、もし測定するとすれば、ＨＳ−ＳＣＣＨの１ｓｔ  ｐａｒｔ（ファーストパート）の受信結果を新たに送信するためのインターフェースが必要である。
【００３６】
本発明は、かかる点に鑑みてなされたものであり、受信装置に新たなインターフェースを追加することなく、ＨＳ−ＳＣＣＨのように、受信性能の異なる複数のブロックに分割され多段構成となっている下り制御チャネルの各段における受信性能の測定を可能にする受信装置及び受信性能測定信号の送信方法を提供することを目的とする。
【課題を解決するための手段】
【００３７】
かかる課題を解決するため、本発明に係る受信装置は、下りデータチャネルの受信処理に必要な制御情報を受信性能の異なる複数のブロックに分割した多段構成で伝送される下り制御チャネルの受信処理を行う制御チャネル受信手段と、前記下りデータチャネルの受信処理を行うデータチャネル受信手段と、前記制御チャネル受信手段における受信処理時に検出された誤り検出結果に基づいて下りデータチャネルの受信処理を行うか否かを示す受信モードによって前記データチャネル受信手段における受信処理を制御する制御手段と、前記データチャネル受信手段による下りデータチャネルの誤り検出結果に基づいて作成した応答信号を上り制御チャネルを介して基地局装置に送信する応答信号送信手段とを具備する構成を採る。
【００３８】
本発明に係る受信性能測定信号の送信方法は、下りデータチャネルの受信処理に必要な制御情報を受信性能の異なる複数のブロックに分割した多段構成で伝送される下り制御チャネルの受信処理を行う制御チャネル受信工程と、前記下りデータチャネルの受信処理を行うデータチャネル受信工程と、前記制御チャネル受信工程における受信処理時に検出された誤り検出結果に基づいて下りデータチャネルの受信処理を行うか否かを示す受信モードによって前記データチャネル受信工程における受信処理を制御する制御工程と、前記データチャネル受信工程による下りデータチャネルの誤り検出結果に基づいて作成した応答信号を上り制御チャネルを介して基地局装置に送信する応答信号送信工程とを具備するようにした。
【発明の効果】
【００３９】
本発明によれば、基地局が受信性能の異なる複数のブロックに分割され多段構成となっている下り制御チャネルの各段における受信性能を測定することを可能にする受信装置及び受信性能測定信号の送信方法を提供することができる。
【発明を実施するための最良の形態】
【００４０】
本発明の骨子は、受信装置に新たなインターフェースを追加することなく、ＨＳ−ＳＣＣＨの１ｓｔ  ｐａｒｔ（ファーストパート）のみのように、受信性能の異なる複数のブロックに分割され多段構成となっている下り制御チャネルの各段における受信性能の測定を可能にすることである。
【００４１】
以下、本発明の実施の形態について図面を参照して詳細に説明する。
【００４２】
（実施の形態１）
図１は、本発明の一実施の形態に係る受信装置におけるＨＳ−ＳＣＣＨの受信性能測定系の構成を示すブロック図である。図１に示す本実施の形態に係る受信装置１００は、入力信号に含まれる下りデータチャネルＨＳ−ＰＤＳＣＨについて受信処理を行うＨＳ−ＰＤＳＣＨ受信処理部１１０と、入力信号に含まれる下り制御チャネルＨＳ−ＳＣＣＨについて受信処理を行うＨＳ−ＳＣＣＨ受信処理部１２０と、ＨＳ−ＳＣＣＨ受信処理部１２０での処理結果に基づきＨＳ−ＰＤＳＣＨ受信処理部１１０を制御する制御部１３０と、制御部１３０が制御に用いる記憶部１４０と、ＨＳ−ＰＤＳＣＨ受信処理部１１０での処理結果を受けて応答信号を生成する応答信号生成部１５０とを備えている。ＨＳ−ＳＣＣＨ受信性能測定部１６０は、基地局が備えるもので、応答信号生成部１５０が生成する応答信号（ＡＣＫ信号、ＮＡＫ信号）に基づき受信装置１００でのＨＳ−ＳＣＣＨの受信性能を測定する。
【００４３】
ＨＳ−ＳＣＣＨ受信処理部１２０は、逆拡散部１２１、復調部１２２、復号部１２３、判定部１２４を含み、入力されるＨＳ−ＳＣＣＨに対する受信処理を行い、その受信処理結果を制御部１３０に与える。ＨＳ−ＰＤＳＣＨ受信処理部１１０は、逆拡散部１１１、復調部１１２、復号部１１３、誤り検出部１１４を含み、制御部１３０の制御下に、入力されるＨＳ−ＰＤＳＣＨに対する受信処理を行い、その処理結果を応答信号生成部１５０に与える。
【００４４】
ＨＳ−ＳＣＣＨ受信処理部１２０に入力される制御チャネルＨＳ−ＳＣＣＨは、複数のＨＳ−ＳＣＣＨが１セット（ＨＳ−ＳＣＣＨセット）となっている。そこで、逆拡散部１２１は、入力信号であるＨＳ−ＳＣＣＨセットに含まれるそれぞれのＨＳ−ＳＣＣＨに対して所定の拡散コードで逆拡散を行う。逆拡散後の各ＨＳ−ＳＣＣＨは、復調部１２２にて復調され、復号部１２３にて復号され、復号結果が判定部１２４に入力される。
【００４５】
判定部１２４では、入力された復号結果に基づき、ＨＳ−ＳＣＣＨセットに含まれる複数のＨＳ−ＳＣＣＨの中に自局宛てのＨＳ−ＳＣＣＨが存在するか否かを判定し、その判定結果を制御部１３０に通知する。この判定は、例えば誤りチェックビットや復号部１２３が制御チャネルＨＳ−ＳＣＣＨを復号する際に算出される尤度情報を用いて行われる。
【００４６】
記憶部１４０には、基地局が指示した、ＨＳ−ＳＣＣＨの２ｎｄ  ｐａｒｔ（セカンドパート）の誤り検出結果に基づいてＨＳ−ＰＤＳＣＨの受信処理を行う第１の受信モードか、ＨＳ−ＳＣＣＨの２ｎｄ  ｐａｒｔ（セカンドパート）の誤り検出結果に基づいてＨＳ−ＰＤＳＣＨの受信処理を行わない第２の受信モードかを示す情報が記憶されている。
【００４７】
制御部１３０は、判定部１２４から通知を受けた時、記憶部１４０に記憶されている情報がＨＳ−ＳＣＣＨの２ｎｄ  ｐａｒｔ（セカンドパート）の誤り検出結果に基づいてＨＳ−ＰＤＳＣＨの受信処理を行う第１の受信モードか受信処理を行わない第２の受信モードかのいずれかの受信モードかによって、ＨＳ−ＰＤＳＣＨ受信処理部１１０の制御を行う。
【００４８】
即ち、記憶部１４０から読み取った受信モードがＨＳ−ＳＣＣＨの２ｎｄ  ｐａｒｔ（セカンドパート）の誤り検出結果に基づいてＨＳ−ＰＤＳＣＨの受信処理を行う第１の受信モードである場合には、制御部１３０は、判定部１２４からＨＳ−ＳＣＣＨの１ｓｔ  ｐａｒｔ（ファーストパート）に関して自局宛てが存在する旨の通知を受けると、自局宛てのＨＳ−ＳＣＣＨの復号結果が示す制御情報で示されるマルチコード数等の拡散コード情報を逆拡散部１１１に送り、変調方式等の変調方式情報を復調部１１２に送る。
【００４９】
そして、制御部１３０は、判定部１２４からＨＳ−ＳＣＣＨの２ｎｄ  ｐａｒｔ（セカンドパート）に関して自局宛てが存在する旨の通知を受けると、自局宛てのＨＳ−ＳＣＣＨの復号結果が示す制御情報で示されるトランスポートブロックサイズ等の符号化情報を復号部１１３に送る。
【００５０】
一方、制御部１３０は、判定部１２４から、１ｓｔ  ｐａｒｔ（ファーストパート）及び２ｎｄ  ｐａｒｔ（セカンドパート）に自局宛てのＨＳ−ＳＣＣＨが存在しない旨の通知を受けると、ＨＳ−ＰＤＳＣＨ受信処理部１１０が、受信処理を開始していない場合はＨＳ−ＰＤＳＣＨの受信処理を行わせないように制御し、受信処理を開始している場合は停止するように制御する。
【００５１】
また、記憶部１４０から読み取った受信モードがＨＳ−ＳＣＣＨの２ｎｄ  ｐａｒｔ（セカンドパート）の誤り検出結果に基づいてＨＳ−ＰＤＳＣＨの受信処理を行わない第２のモードである場合には、制御部１３０は、判定部１２４からＨＳ−ＳＣＣＨの１ｓｔ  ｐａｒｔ（ファーストパート）に関して自局宛てが存在する旨の通知を受けると、自局宛てのＨＳ−ＳＣＣＨの復号結果が示す制御情報で示されるマルチコード数等の拡散コード情報を逆拡散部１１１に送り、変調方式等の変調方式情報を復調部１１２に送る。
【００５２】
そして、制御部１３０は、判定部１２４からＨＳ−ＳＣＣＨの１ｓｔ  ｐａｒｔ（ファーストパート）に関して自局宛てが存在しない旨の通知を受けると、ＨＳ−ＰＤＳＣＨの受信処理を行うことなく破棄するようにＨＳ−ＰＤＳＣＨ受信処理部１１０を制御する。制御部１３０は、２ｎｄ  ｐａｒｔ（セカンドパート）では自局宛てのＨＳ−ＳＣＣＨが存在すると判定されてもされなくても、自局宛てのＨＳ−ＳＣＣＨの復号結果が示す制御情報で示されるトランスポートブロックサイズ等の符号化情報を復号部１１３に送る。
【００５３】
次に、ＨＳ−ＰＤＳＣＨ受信処理部１１０では、逆拡散部１１１は、制御部１３０から指示された拡散コード情報に基づいて入力信号であるＨＳ−ＰＤＳＣＨに対して逆拡散を行う。逆拡散後のＨＳ−ＰＤＳＣＨは、復調部１１２にて制御部１３０から指示された変調方式情報に基づいて復調され、復号部１１３にて制御部１３０から指示された符号化情報に基づいて復号され、復号結果（パケットデータ）が誤り検出部１１４に入力される。誤り検出部１１４では、入力されたパケットデータに対しＣＲＣ等の誤り検出を行い、誤り検出結果を応答信号生成部１５０に出力する。
【００５４】
応答信号生成部１５０では、誤り検出結果に基づき、誤り検出に対する応答信号としてＡＣＫ信号またはＮＡＣＫ信号を作成し、基地局のＨＳ−ＳＣＣＨ受信性能測定部１６０に上り制御チャネルＨＳ−ＤＰＣＣＨを用いて送信する。具体的には、応答信号生成部１５０では、パケットデータに誤りがない場合はＡＣＫ信号を作成し、誤りがあった場合はＮＡＣＫ信号を作成する。なお、制御部１３０からＨＳ−ＰＤＳＣＨ受信処理部１１０に対して、受信処理を開始する指示を出していない場合、または、受信処理を停止する指示を出している場合には、応答信号生成部１５０は、ＡＣＫ信号もＮＡＣＫ信号も出力しない。
【００５５】
次に、本実施の形態に係る受信装置におけるＨＳ−ＳＣＣＨの受信性能の測定方法について説明する。ＨＳ−ＳＣＣＨの受信性能には、１ｓｔ  ｐａｒｔ（ファーストパート）の受信性能と２ｎｄ  ｐａｒｔ（セカンドパート）の受信性能とがある。本実施の形態に係る受信装置では、ＨＳ−ＳＣＣＨの判定結果に基づいてＨＳ−ＰＤＳＣＨの受信処理を行うか否かを示す受信モードを選択することにより、１ｓｔ  ｐａｒｔ（ファーストパート）と２ｎｄ  ｐａｒｔ（セカンドパート）と全体の受信性能を測定することと、それぞれの受信性能を測定することの双方が実現できる。
【００５６】
即ち、受信モードがＨＳ−ＳＣＣＨの２ｎｄ  ｐａｒｔ（セカンドパート）の誤り検出結果に基づいてＨＳ−ＰＤＳＣＨの受信処理を行う第１のモードでは、自局宛のＨＳ−ＳＣＣＨの２ｎｄ  ｐａｒｔ（セカンドパート）に誤りが検出されなかった時のみＨＳ−ＰＤＳＣＨの復号処理が行われるので、ＨＳ−ＰＤＳＣＨの入力に対応するタイミングにおいて応答信号生成部１５０がＡＣＫ信号またはＮＡＣＫ信号を作成する場合はＨＳ−ＳＣＣＨの受信が成功したことを示し、ＡＣＫ信号とＮＡＣＫ信号のどちらも作成しない場合はＨＳ−ＳＣＣＨの受信処理に失敗したことを示す。したがって、基地局のＨＳ−ＳＣＣＨ受信性能測定部１６０では、応答信号生成部１５０からの応答信号をモニタすることによって、ＨＳ−ＳＣＣＨの受信性能、つまり１ｓｔ  ｐａｒｔ（ファーストパート）と２ｎｄ  ｐａｒｔ（セカンドパート）を含めた受信性能を測定することができる。
【００５７】
また、受信モードがＨＳ−ＳＣＣＨの２ｎｄ  ｐａｒｔ（セカンドパート）の誤り検出結果に基づいてＨＳ−ＰＤＳＣＨの受信処理を行わない第２の受信モードでは、自局宛のＨＳ−ＳＣＣＨの２ｎｄ  ｐａｒｔ（セカンドパート）に誤りが検出されてもされなくてもＨＳ−ＰＤＳＣＨの復号処理が行われるので、ＨＳ−ＰＤＳＣＨの入力に対応するタイミングにおいて応答信号生成部１５０がＡＣＫ信号またはＮＡＣＫ信号を作成する場合はＨＳ−ＳＣＣＨの１ｓｔ  ｐａｒｔ（ファーストパート）の受信に成功したことを示し、ＡＣＫ信号とＮＡＣＫ信号のどちらも作成しない場合は、ＨＳ−ＳＣＣＨの１ｓｔ  ｐａｒｔ（ファーストパート）の受信処理に失敗したことを示す。したがって、基地局のＨＳ−ＳＣＣＨ受信性能測定部では、応答信号生成部１５０からの応答信号をモニタすることによって、ＨＳ−ＳＣＣＨの１ｓｔ  ｐａｒｔ（ファーストパート）のみの受信性能を測定することができる。
【００５８】
以下、図２を参照して、本実施の形態に係る受信装置におけるＨＳ−ＳＣＣＨの受信性能の測定方法について具体的に説明する。なお、図２は、図１に示す受信装置におけるＨＳ−ＳＣＣＨの受信性能測定系の動作を説明するフローチャートである。なお、処理手順を示すステップは、ＳＴと略記する。
【００５９】
図２において、ＨＳ−ＳＣＣＨの受信性能の測定では、まずＨＳ−ＳＣＣＨの１ｓｔ  ｐａｒｔ（ファーストパート）の受信処理ＳＴ２００として、逆拡散処理（ＳＴ２０１）、復調処理（ＳＴ２０２）、復号処理（ＳＴ２０３）、判定処理（ＳＴ２０４）を含む処理が行われ、判定処理（ＳＴ２０４）が終了すると、ＳＴ２２０に進み、自局宛てのＨＳ−ＳＣＣＨが検出できたか否かを判断する。
【００６０】
また、ＨＳ−ＳＣＣＨの１ｓｔ  ｐａｒｔ（ファーストパート）の逆拡散処理（ＳＴ１０１）が終わると、その処理結果を用いてＨＳ−ＳＣＣＨの２ｎｄ  ｐａｒｔ（セカンドパート）の受信処理ＳＴ２１０が並行して行われる。ＨＳ−ＳＣＣＨの２ｎｄ  ｐａｒｔ（セカンドパート）の受信処理ＳＴ２１０には、逆拡散処理（ＳＴ２１１）、復調処理（ＳＴ２１２）、復号処理（ＳＴ２１３）、誤り検出処理（ＳＴ２１４）が含まれている。誤り検出処理（ＳＴ２１４）が終了すると、ＳＴ２４０に進む。
【００６１】
ＳＴ２４０では、ＨＳ−ＳＣＣＨの２ｎｄ  ｐａｒｔ（セカンドパート）の誤り検出結果に基づいてＨＳ−ＰＤＳＣＨの受信処理を行うか否かを判定し、ＨＳ−ＰＤＳＣＨの受信処理を行う場合（ＳＴ２４０：ＹＥＳ）はＳＴ２５０に進み、ＨＳ−ＰＤＳＣＨの受信処理を行わない場合（ＳＴ２４０：ＮＯ）はＳＴ２３３に進む。
【００６２】
ＨＳ−ＳＣＣＨの１ｓｔ  ｐａｒｔ（ファーストパート）の受信処理ＳＴ２００における判定処理ＳＴ２０４での判定結果、自局宛てのＨＳ−ＳＣＣＨを検出しなかった場合（ＳＴ２２０：ＮＯ）には、ＤＴＸ処理（ＳＴ２７１）に進み、ＨＳ−ＳＣＣＨ受信性能測定処理（ＳＴ２８０）に対してＡＣＫ信号もＮＡＣＫ信号も出力しない。また、判定処理ＳＴ２０４の判定結果、自局宛てのＨＳ−ＳＣＣＨを検出した場合（ＳＴ２２０：ＹＥＳ）には、ＨＳ−ＰＤＳＣＨ処理（ＳＴ２３０）に進む。
【００６３】
このＨＳ−ＰＤＳＣＨ処理（ＳＴ２３０）には、逆拡散処理（ＳＴ２３１）、復調処理（ＳＴ２３２）、復号処理（ＳＴ２３３）、誤り検出処理（ＳＴ２３４）が含まれるが、逆拡散処理（ＳＴ２３１）と復調処理（ＳＴ２３２）が終わると、ＳＴ２５０に進む。ＳＴ２５０では、ＨＳ−ＳＣＣＨの２ｎｄ  ｐａｒｔ（セカンドパート）の受信処理ＳＴ２１０における誤り検出処理（ＳＴ２１４）において誤りを検出したか否かを判断する。
【００６４】
その結果、誤り検出処理（ＳＴ２１４）において誤りを検出した場合（ＳＴ２５０：ＮＯ）には、ＤＴＸ処理（ＳＴ２７１）に進み、ＨＳ−ＳＣＣＨ受信性能測定処理（ＳＴ２８０）に対してＡＣＫ信号もＮＡＣＫ信号も出力しない。一方、誤り検出処理（ＳＴ２１４）において誤りを検出しない場合（ＳＴ２５０：ＹＥＳ）には、ＨＳ−ＰＤＳＣＨ処理（ＳＴ２３０）における残りの復号処理（ＳＴ２３３）、誤り検出処理（ＳＴ２３４）を行った後、ＳＴ２６０に進み、誤り検出処理（ＳＴ２３４）において誤りを検出したか否かを判断する。
【００６５】
その結果、誤り検出処理（ＳＴ２３４）において誤りを検出しなかった場合（ＳＴ２６０：ＹＥＳ）には、ＡＣＫ出力処理（ＳＴ２７２）に進み、ＨＳ−ＳＣＣＨ受信性能測定処理（ＳＴ２８０）に対してＡＣＫ信号を出力する。また、誤り検出処理（ＳＴ２３４）において誤りを検出した場合（ＳＴ２６０：ＮＯ）には、ＮＡＣＫ出力処理（ＳＴ２７３）に進み、ＨＳ−ＳＣＣＨ受信性能測定処理（ＳＴ２８０）に対してＮＡＣＫ信号を出力する。
【００６６】
ＨＳ−ＳＣＣＨ受信性能測定処理（ＳＴ２８０）では、受信装置における以上説明した一連の処理における入力値がＡＣＫ信号かＮＡＣＫ信号か何も入力されないかを監視することによって、ＨＳ−ＳＣＣＨの受信性能を測定する。ＨＳ−ＳＣＣＨ受信性能測定処理（ＳＴ２８０）では、以上説明した一連の処理をその受信装置宛てにＨＳ−ＳＣＣＨを送信した回数であるＨＳ−ＳＣＣＨ受信性能測定ループとしてＨＳ−ＳＣＣＨ受信性能測定ループ毎の測定を所定回数に到達するまで（ＳＴ２９０：ＮＯ）繰り返して実行し、所定回数に到達すると（ＳＴ２９０：ＹＥＳ）、ＨＳ−ＳＣＣＨ受信性能測定処理を終了する。
【００６７】
ＨＳ−ＳＣＣＨ受信性能測定部１６０の測定動作を具体的に説明する。例えば、ＨＳ−ＳＣＣＨ受信性能測定ループの繰り返し回数を１００回とし、ＨＳ−ＳＣＣＨの１ｓｔ  ｐａｒｔ（ファーストパート）の誤りが５回、２ｎｄ  ｐａｒｔ（セカンドパート）の誤りが１０回であるとする。この場合には、ＨＳ−ＰＤＳＣＨを復号する回数は９０回、ＨＳ−ＳＣＣＨの誤りによってＨＳ−ＰＤＳＣＨの復号ができない場合は１０回あることになる。
【００６８】
ここで、ＨＳ−ＳＣＣＨ受信性能測定処理において、ＡＣＫ信号が６０回、ＮＡＣＫ信号が３０回、何も入力されなかった回数が１０回だった場合のＨＳ−ＳＣＣＨの１ｓｔ  ｐａｒｔ（ファーストパート）と２ｎｄ  ｐａｒｔ（セカンドパート）を含めた受信性能と、１ｓｔ  ｐａｒｔ（ファーストパート）のみの受信性能とは、ＨＳ−ＳＣＣＨの判定結果に基づいてＨＳ−ＰＤＳＣＨの受信処理を行うか否かを示す受信モードにより算出することができる。
【００６９】
即ち、ＨＳ−ＳＣＣＨ受信性能測定部１６０では、受信モードをＨＳ−ＳＣＣＨの判定結果に基づいてＨＳ−ＰＤＳＣＨの受信処理を行う第１の受信モードに設定することで、ＨＳ−ＳＣＣＨの１ｓｔ  ｐａｒｔ（ファーストパート）と２ｎｄ  ｐａｒｔ（セカンドパート）を含めた受信性能を示す応答信号を得て、フレームエラーレートＦＥＲを以下の式（２）によって算出することができる。
ＦＥＲ＝ＮＤＴＸ／（ＮＤＴＸ＋ＮＡＣＫ＋ＮＮＡＣＫ）
＝１０／１００
＝０．１                              …（２）
【００７０】
また、ＨＳ−ＳＣＣＨ受信性能測定部１６０では、受信モードをＨＳ−ＳＣＣＨの判定結果に基づいてＨＳ−ＰＤＳＣＨの受信処理を行わない第２の受信モードに設定することで、ＨＳ−ＳＣＣＨの１ｓｔ  ｐａｒｔ（ファーストパート）のみの受信性能を示す応答信号を得て、フレームエラーレートＦＥＲ１ＳＴ  ＰＡＲＴを次の式（３）によって算出することができる。
ＦＥＲ１ＳＴ  ＰＡＲＴ  ＝ＮＤＴＸ／（ＮＤＴＸ＋ＮＡＣＫ＋ＮＮＡＣＫ）
＝５／１００
＝０．０５                          …（３）
なお式（２）（３）において、ＮＤＴＸは受信装置１００から何も入力されなかった回数、ＮＡＣＫは受信装置１００からＡＣＫ信号が入力された回数、ＮＮＡＣＫは受信装置１００からＮＡＣＫ信号が入力された回数である。
【００７１】
このように、本実施の形態によれば、受信装置を、ＨＳ−ＳＣＣＨの誤り検出結果に基づいてＨＳ−ＰＤＳＣＨの受信処理を行いＨＳ−ＳＣＣＨの１ｓｔ  ｐａｒｔ（ファーストパート）と２ｎｄ  ｐａｒｔ（セカンドパート）を含めた受信性能の測定を可能にする応答信号を送信する第１の受信モードと、ＨＳ−ＳＣＣＨの誤り検出結果に基づいたＨＳ−ＰＤＳＣＨの受信処理を行わずＨＳ−ＳＣＣＨの１ｓｔ  ｐａｒｔ（ファーストパート）のみの受信性能の測定を可能にする応答信号を送信する第２の受信モードとを実施できるように構成したので、ＨＳ−ＳＣＣＨ受信性能測定部１６０では、ＨＳ−ＳＣＣＨの誤り検出結果に基づいてＨＳ−ＰＤＳＣＨの受信処理を行うか否かを示す受信モードによって、受信装置から、ＡＣＫ信号が入力するか、ＮＡＣＫ信号が入力するか、何も入力されないか、の３通りをカウントすることによって、ＨＳ−ＳＣＣＨの１ｓｔ  ｐａｒｔ（ファーストパート）と２ｎｄ  ｐａｒｔ（セカンドパート）を含めた受信性能と、ＨＳ−ＳＣＣＨの１ｓｔ  ｐａｒｔ（ファーストパート）のみの受信性能とが測定できる。
【００７２】
なお、本実施の形態では、ＨＳ−ＳＣＣＨの誤り検出結果に基づいてＨＳ−ＰＤＳＣＨの受信処理を行うか否かを示す受信モードの比較を、２ｎｄ  ｐａｒｔ（セカンドパート）の誤り検出処理の後に行ったが、２ｎｄ  ｐａｒｔ（セカンドパート）の誤り検出処理の前に行っても良い。
【産業上の利用可能性】
【００７３】
本発明は、Ｗ−ＣＤＭＡ方式の移動体通信システムにおいて下り制御チャネルの移動局における受信性能を測定する場合に好適である。
【図面の簡単な説明】
【００７４】
【図１】本発明の一実施の形態に係る受信装置におけるＨＳ−ＳＣＣＨの受信性能測定系の構成を示すブロック図
【図２】図１に示す受信装置におけるＨＳ−ＳＣＣＨの受信性能測定系の動作を説明するフローチャート
【図３】物理チャネルであるＨＳ−ＰＤＳＣＨとＨＳ−ＳＣＣＨとのフレーム構成を説明する図
【図４】ＨＳ−ＳＣＣＨとＨＳ−ＰＤＳＣＨのタイミング関係を説明する図
【図５】従来の受信装置におけるＨＳ−ＳＣＣＨの受信性能測定系の構成を示すブロック図
【図６】図５に示す受信装置におけるＨＳ−ＳＣＣＨの受信性能測定系の動作を説明するフローチャート
【符号の説明】
【００７５】
１００  受信装置
１１０  ＨＳ−ＰＤＳＣＨ受信処理部
１１１  逆拡散部
１１２  復調部
１１３  復号部
１１４  誤り検出部
１２０  ＨＳ−ＳＣＣＨ受信処理部
１２１  逆拡散部
１２２  復調部
１２３  復号部
１２４  判定部
１３０  制御部
１４０  記憶部
１５０  応答信号生成部
１６０  ＨＳ−ＳＣＣＨ受信性能測定部
【図１】
2006115207.tif 000003
【図２】
2006115207.tif 000004
【図３】
2006115207.tif 000005
【図４】
2006115207.tif 000006
【図５】
2006115207.tif 000007
【図６】
2006115207.tif 000008